(57)【要約】【課題】使い勝手のよいリストバンドを提供する。【解決手段】人体に巻き回されて装着されるリストバンドであって、ヒンジ部４９で折り畳み可能な係止ピン取付け片４５及び固着孔形成片４８を有し前記係止ピン取付け片４５には係止ピン４２が形成され前記固着孔形成片４８には固着孔４６が形成された留め具４０と、記録領域２１を挟んで一方の側に取付け孔２４，２５が設けられ、他方の側に複数の挿通孔２６が形成されたバンド本体２０と、を備え、前記留め具４０の前記係止ピン４２は、立設する軸４３と前記軸４３に設けられた長円形状の係止部４４とから構成され、前記係止部４４の長円形状の長軸方向が同一方向に形成され、前記バンド本体２０の前記取付け孔２４，２５は、前記係止ピン４２の前記係止部４４が挿通可能な長円形状を呈し長円形状の長軸方向が各々異なる方向に形成されている。【選択図】図４
2013088692.tif 000002
【特許請求の範囲】
【請求項１】
表面に個人を識別する情報が記録される記録領域を有するとともに、人体の一部に巻き回されて装着されるリストバンドであって、
ヒンジ部で折り畳み可能な係止ピン取付け片および固着孔形成片を有し、前記係止ピン取付け片には少なくとも２つの係止ピンが形成され、前記固着孔形成片には前記係止ピン取付け片の前記係止ピンを嵌合固着する固着孔が形成された留め具と、
長尺形状を呈し、前記記録領域を挟んで一方の側に少なくとも２つの取付け孔が設けられ、他方の側に複数の挿通孔が列状に形成されたバンド本体と、
を備え、
前記留め具の少なくとも２つの前記係止ピンは、前記係止ピン取付け片から立設する軸と前記軸の先端部に設けられた長円形状の係止部とから構成され、前記係止部の長円形状の長軸方向が同一方向に形成されており、
前記バンド本体の前記取付け孔は、前記係止ピンの前記係止部が挿通可能な長円形状を呈し、長円形状の長軸方向が各々異なる方向に形成されていることを特徴とするリストバンド。
【請求項２】
前記係止部、前記取付け孔および前記挿通孔の長円形状は、小判形状であることを特徴とする請求項１に記載のリストバンド。
【請求項３】
前記係止部、前記取付け孔および前記挿通孔の長円形状は、楕円形状であることを特徴とする請求項１に記載のリストバンド。
【発明の詳細な説明】
【技術分野】
【０００１】
本発明は、人体に着用するリストバンドに関する。
【背景技術】
【０００２】
例えば、医療機関等では、入院患者や診察あるいは検査を受ける患者の識別や医療過誤の未然防止等を目的にリストバンドを用いている。リストバンドは、患者の氏名、血液型等の患者情報を文字もしくはバーコード等の識別記号を用いてバンド本体に印刷する。そして、それを患者の手首や足首等に取り付ける。リストバンドは、一般的に本人確認を確実に行い適正な処置が施せるように、一度つけたら意図的に切断する等の行為が無い限り外せないものとすることが一般的である。そのため、バンド本体の係止孔同士を合わせ留め具で固定することが知られている（例えば、特許文献１および特許文献２参照）。
【先行技術文献】
【特許文献】
【０００３】
【特許文献１】特開２００２−３５１３２１号公報
【特許文献２】特開２００５−２４５８２号公報
【発明の概要】
【発明が解決しようとする課題】
【０００４】
上述のリストバンドは、バンド本体への印刷作業の容易さを考慮してバンド本体と留め具とが別体に構成されている。そして、バンド本体を患者の手首や足首に巻きつけた状態でバンド本体の係止孔同士を合わせ、係止孔に留め具の突起を嵌入させ固着していた。そのため、持ち運びが面倒であったり、固着時に留め具が落下したり、長さ調整が面倒であったりして作業が煩雑であった。
【課題を解決するための手段】
【０００５】
本発明は、上述の課題の少なくとも一部を解決するためになされたものであり、以下の形態または適用例として実現することが可能である。
【０００６】
（適用例１）表面に個人を識別する情報が記録される記録領域を有するとともに、人体の一部に巻き回されて装着されるリストバンドであって、ヒンジ部で折り畳み可能な係止ピン取付け片および固着孔形成片を有し、前記係止ピン取付け片には少なくとも２つの係止ピンが形成され、前記固着孔形成片には前記係止ピン取付け片の前記係止ピンを嵌合固着する固着孔が形成された留め具と、長尺形状を呈し、前記記録領域を挟んで一方の側に少なくとも２つの取付け孔が設けられ、他方の側に複数の挿通孔が列状に形成されたバンド本体と、を備え、前記留め具の少なくとも２つの前記係止ピンは、前記係止ピン取付け片から立設する軸と前記軸の先端部に設けられた長円形状の係止部とから構成され、前記係止部の長円形状の長軸方向が同一方向に形成されており、前記バンド本体の前記取付け孔は、前記係止ピンの前記係止部が挿通可能な長円形状を呈し、長円形状の長軸方向が各々異なる方向に形成されていることを特徴とするリストバンド。
【０００７】
（適用例２）前記係止部、前記取付け孔および前記挿通孔の長円形状は、小判形状であることを特徴とする上記のリストバンド。
【０００８】
（適用例３）前記係止部、前記取付け孔および前記挿通孔の長円形状は、楕円形状であることを特徴とする上記のリストバンド。
【０００９】
これらの構成によれば、リストバンドにおいて、バンド本体の取付け孔に留め具の係止ピン取付け片に設けられた２つの係止ピンを挿入したとき、留め具の係止ピンの長円形状をした係止部の長軸方向と、バンド本体の長円形状をした取付け孔の長軸方向とが、少なくとも一箇所で交差するようにすることができる。そのため、少なくとも一箇所の取付け部位において、バンド本体と留め具とを仮固定することができる。
【００１０】
リストバンドの取り付け作業において、バンド本体の取付け孔部分に留め具を仮固定することができれば、情報の印刷場所から患者のところへ持ち運ぶとき、一体として持ち運ぶことができ紛失等を防止することができる。また、患者の手首等に巻き付け長さ調整をして、バンド本体に仮固定されている留め具の係止ピンを、バンド本体の任意の挿通孔を経由して留め具の固着孔形成片の固着孔に容易に嵌合固着することができる。すなわち、リストバンドの取り付けに伴う作業を容易に行うことができる。
【図面の簡単な説明】
【００１１】
【図１】本発明の実施形態に係るリストバンドを装着した状態を示す図。
【図２】本発明の実施形態に係るバンド本体を示す図。
【図３】本発明の実施形態に係る留め具の構成を示す図。
【図４】バンド本体と留め具との仮固定方法を説明する図。
【発明を実施するための形態】
【００１２】
以下、本発明に係る実施形態について図面を参照して説明する。なお、以下の説明で参照する図面では、説明および図示の便宜上、部材ないし部分の縦横の縮尺を実際のものとは異なるように表す場合がある。
【００１３】
（リストバンドおよびバンド本体について）
まず、リストバンドおよびバンド本体について、図１および図２を参照して説明する。図１は、本発明の実施形態に係るリストバンドを装着した状態を示す図である。図２は、本発明の実施形態に係るバンド本体を示す図であり、図２（ａ）は全体を示す外形図、図２（ｂ）は取付け孔部分を示す拡大図、図２（ｃ）は複数の挿通孔部分を示す拡大図である。図２に示すＸ方向は、長尺形状のリストバンドの長手方向を示し、Ｙ方向はＸ方向と直交する方向を示す。
【００１４】
図１に示すように、リストバンド１０は、バンド本体２０と留め具４０とから構成される。リストバンド１０は、一般に医療機関等で用いられ、入院患者や診察あるいは検査を受ける患者の識別や医療過誤の未然防止等のために、患者の氏名、血液型等の患者情報が表示され、該当する患者の手首や足首等に取り付けられる。なお、患者情報としては、患者氏名、性別、ＩＤ番号、血液型、診療科目、患者の属する病棟番号、電話番号、アレルギー項目などが挙げられ、これら患者情報は、文字や図形、シンボル画像（バーコードや２次元コード）等で印刷される。
【００１５】
図２（ａ）に示すように、バンド本体２０は、例えば、防水性を有し医学的に安全性の高いポリウレタン等の素材が好適に用いられ、長尺のシート状に形成される。バンド本体２０は、一方の面に情報が印刷される記録領域２１を有している。この記録領域２１に対しては、例えばインクジェットプリンター等の印刷装置を用い上記患者情報が印刷される。この印刷作業は、カルテ等を参考に病院のナースセンターや事務所で行われることが多い。
【００１６】
バンド本体２０は、長尺の一方の端部２２近傍に少なくとも２つの取付け孔２４，２５が設けられ、記録領域２１を挟んで他方の側に複数の挿通孔２６が所定のピッチで列状に形成されている。
図２（ｂ）に示すように、取付け孔２４，２５は、所定の間隔（以降、ピッチＰという）を隔てて、後述する留め具４０の係止ピンの小判形状の係止部が挿通可能な小判形状の孔として形成されている。取付け孔２４と取付け孔２５とは、同一な形状を呈しているが、取付け孔２４の長軸２４ａと取付け孔２５の長軸２５ａとは異なる方向に形成されている。すなわち、取付け孔２５の長軸２５ａは図中Ｘ方向に沿った方向となっているが、取付け孔２４の長軸２４ａはＸ方向に対して角度αを有するように形成されている。
【００１７】
図２（ｃ）に示すように、挿通孔２６は、取付け孔２４，２５と同様に、後述する留め具４０の係止ピンの小判形状の係止部が挿通可能な小判形状に形成されている。複数の挿通孔２６は、各挿通孔２６の長軸２６ａが図中Ｘ方向に沿った状態で、所定のピッチＰで列状に配置されている。
【００１８】
（留め具について）
次いで、留め具について、図３を参照して説明する。図３は、本発明の実施形態に係る留め具の構成を示す図であり、図３（ａ）は留め具の斜視図、図３（ｂ）は係止ピンのＥ矢視図、図３（ｃ）は固着孔のＧ−Ｇ断面図である。
【００１９】
図３（ａ）に示すように、留め具４０は、例えば２つの係止ピン４２が設けられた係止ピン取付け片４５と、係止ピン取付け片４５に対してヒンジ部４９で折り畳み自在に連結され、２つの係止ピン４２が挿入固着される２つの固着孔４６が形成された固着孔形成片４８とから構成されている。なお、留め具４０は、ヒンジ効果を有する樹脂、例えばポリプロピレン等が好適に使用される。
【００２０】
図３（ａ），（ｂ）に示すように、係止ピン４２は、板状の係止ピン取付け片４５から立設される円柱状の軸４３と、軸４３の自由端部に設けられた係止部４４とから構成されている。係止部４４は、図３に示すように、所定の板厚を有する長円としての小判形状に形成されている。なお、本実施形態では２つの係止ピン４２が設けられ、２つの係止ピン４２は所定のピッチＰで立設されている。
【００２１】
図３（ａ）に示すように、固着孔４６は、係止ピン４２の係止部４４が挿通可能な長円としての小判形状の孔として固着孔形成片４８に形成されている。図３（ｃ）に示すように、固着孔４６は、係止ピン４２が挿通される孔空間部４６ａの入り口側周囲に固着片４７が形成されている。この固着片４７は、入り口側にテーパーを持った周状突起部として形成され、係止ピン取付け片４５と固着孔形成片４８とがヒンジ部４９で折り畳まれたとき、固着孔４６に嵌合する係止ピン４２の係止部４４を離脱不可能に固着するものである。
【００２２】
（バンド本体と留め具との仮固定方法について）
ここで、バンド本体と留め具との仮固定方法について図４を参照して説明する。図４は、バンド本体と留め具との仮固定方法を説明する図である。
【００２３】
図４（ａ）に示すように、留め具４０の係止ピン取付け片４５をバンド本体２０の記録領域２１が設けられた面の裏面側に配置する。そして、係止ピン取付け片４５の立設された２つの係止ピン４２の内１つ（係止ピン４２ａ）を、バンド本体２０の取付け孔２４に挿入する。取付け孔２４は、取付け孔２５に対して角度αを有するように配置されている。そのため、係止ピン４２ａの小判形状の係止部４４の外形状と取付け孔２４の小判形状の内形状とが合うような位置、すなわち、留め具４０をバンド本体２０のＸ方向に対し角度αだけ回転させた状態で挿入する。
【００２４】
その後、図４（ａ），（ｂ）に示すように、留め具４０全体を矢印Ｈ方向に角度αだけ回転させ、係止ピン取付け片４５の立設された２つの係止ピン４２の内残った１つ（係止ピン４２ｂ）を、バンド本体２０の取付け孔２５に挿入する。取付け孔２５は、取付け孔２４に対して角度−αを有するように配置されている。そのため、係止ピン４２ｂの小判形状の係止部４４の外形状と取付け孔２５の小判形状の内形状とが合った状態で挿入される。
【００２５】
このように、取り付けることによって、留め具４０とバンド本体２０とは、係止ピン４２ａの小判形状の係止部４４と小判形状の取付け孔２４とが互いに交差するように係止される。すなわち、留め具４０とバンド本体２０は、少なくとも２つの係止ピン４２のうちどちらかが離脱困難な状態で取付け孔２４，２５に係合して仮固定される。なお、この角度αは特に限定しない。ただし、角度αが直角に近づくほど効果が高まる。
【００２６】
（リストバンドの取付け方法について）
ここで、リストバンドの取付け方法について説明する。上述のように仮固定された留め具４０とバンド本体２０とを、本リストバンド１０が装着される患者のところへもっていく。留め具４０とバンド本体２０とは仮固定されているため、一体で持ち運ぶことができる。そのため、留め具４０の落下やそれに伴う紛失を防止することができる。
【００２７】
次いで、留め具４０が仮固定されたバンド本体２０を、バンド本体２０の記録領域２１が外側を向くように、患者（被装着者）の手首もしくは足首に巻きつける。このとき、患者の手首や足首の太さに合わせ長さ調整をすることが好ましい。適正な長さに調整した後、バンド本体２０の複数の挿通孔２６の内、バンド本体２０の一方の端部２２の取付け孔２４，２５から突出する留め具４０の２つの係止ピン４２に最も近い２つの挿通孔２６を、留め具４０の当該２つの係止ピン４２に嵌合させる。
【００２８】
そして、留め具４０の固着孔形成片４８をヒンジ部４９で折り畳む。固着孔形成片４８がヒンジ部４９で折り畳まれることによって、係止ピン取付け片４５に設けられた２つの係止ピン４２は、固着孔形成片４８に形成された固着孔４６に、バンド本体２０の取付け孔２４，２５が形成された部位と挿通孔２６が形成された部位とを挟持した状態で離脱不可能な状態で嵌合される。そして、図１に示すように、手首もしくは足首に恒久的に固定される。なお、退院時等に患者からリストバンド１０を外すときには、バンド本体２０をハサミ等で切断する。
【００２９】
以下、本実施形態の効果を記載する。
リストバンド１０において、バンド本体２０の取付け孔２４，２５に留め具４０の係止ピン取付け片４５に設けられた２つの係止ピン４２を挿入したとき、留め具４０の係止ピン４２の小判形状をした係止部４４の長軸方向と、バンド本体２０の小判形状をした取付け孔２４，２５の長軸方向とが、少なくとも一箇所で交差するようにすることができる。そのため、少なくとも一箇所の取付け部位において、バンド本体２０と留め具４０とを仮固定することができる。
【００３０】
リストバンド１０の取り付け作業において、バンド本体２０の取付け孔２４，２５部分に留め具４０を仮固定することができれば、情報の印刷場所から患者のところへ持ち運ぶとき一体として持ち運ぶことができ紛失等を防止することができる。また、患者の手首等に巻き付け長さ調整をして、バンド本体２０に仮固定されている留め具４０の係止ピン４２を、バンド本体２０の任意の挿通孔２６を経由して留め具４０の固着孔形成片４８の固着孔４６に容易に嵌合固着することができる。すなわち、リストバンド１０の取り付け作業を容易に行うことができる。
【００３１】
以上、本発明の実施形態について説明したが、上記実形態に対しては、本発明の趣旨から逸脱しない範囲で様々な変形を加えることができる。
【符号の説明】
【００３２】
１０…リストバンド、２０…バンド本体、２１…記録領域、２４，２５…取付け孔、２４ａ，２５ａ，２６ａ…長軸、２６…挿通孔、４０…留め具、４２，４２ａ，４２ｂ…係止ピン、４３…軸、４４…係止部、４５…係止ピン取付け片、４６…固着孔、４７…固着片、４８…固着孔形成片、４９…ヒンジ部。
【図１】
2013088692.tif 000003
【図２】
2013088692.tif 000004
【図３】
2013088692.tif 000005
【図４】
2013088692.tif 000006